(57)【要約】      （修正有）【課題】消費者が購入した野菜を冷蔵庫内において腐らせることなく、携帯端末で在庫管理を実行すると共に、携帯端末を保持する個人及び関係者の行動や好みに合わせた献立を実現するに際しての買い足す品物を携帯端末の表示装置に表示することが可能な食料品管理システム及び食料品管理携帯端末を提供する。【解決手段】予め格納された、保存食料品リスト、献立リスト及び個人別志向分類リストの情報に基づいて、消費者の保有する携帯端末に、その日の献立を表示する食料品管理システムであって、前記消費者の希望する時間に、保存食料品の内の消費期限日の近い食料品の消費及び訪問者及び家族の嗜好を考慮した献立を前記携帯端末に表示することを特徴とする。【選択図】 図５
2008084102.tif 000002
【特許請求の範囲】
【請求項１】
予め蓄積された、保存食料品ファイル、献立ファイル及び個人嗜好分類ファイルの情報に基づいて、消費者の保有する携帯端末に、その日の献立を表示する食料品管理システムであって、
前記消費者の希望する時間に、保存食料品の内の消費期限日の近い食料品の消費及び訪問者及び家族の嗜好を考慮した献立を前記携帯端末に表示することを特徴とする食料品管理システム。
【請求項２】
通信回線を介して接続された家庭内サーバ及び少なくとも１台の消費者の保有する携帯端末とで構成される食料品管理システムであって、
前記家庭内サーバの記録手段には、
前記家庭内サーバに搭載されたコンピュータに前記食料品管理システムを実行させるための制御プログラムと、保存食料品ファイル、献立ファイル及び個人嗜好分類ファイルが格納され、
前記家庭内サーバから、前記消費者の希望する時間に、保存食料品の内の消費期限日の近い食料品の消費及び訪問者及び家族の嗜好を考慮した献立を前記携帯端末に通知して表示することを特徴とする食料品管理システム。
【請求項３】
消費者の保有する携帯端末で実行される食料品管理システムであって、
前記携帯端末の記録手段には、
前記携帯端末に搭載されたコンピュータに前記食料品管理システムを実行させるための制御プログラムと、保存食料品ファイル、献立ファイル及び個人嗜好分類ファイルが格納され、
前記消費者の希望する時間に、保存食料品の内の消費期限日の近い食料品の消費及び訪問者及び家族の嗜好を考慮した献立を前記携帯端末に表示することを特徴とする食料品管理システム。
【請求項４】
前記献立の通知には、当該献立を実行するに際しての、更に必要な食料品のリストを前記携帯端末に表示することを特徴とする請求項１〜３のいずれか１項に記載の食料品管理システム。
【請求項５】
前記献立の通知には、献立として複数の候補を提示すると共に、提示した献立候補の調理手順及び調理時間の目安と、献立毎の更に必要な食料品のリストを前記携帯端末に表示することを特徴とする請求項１〜４のいずれか１項に記載の食料品管理システム。
【請求項６】
前記訪問者の嗜好の判断には、友人等からの通話履歴若しくはメール履歴の内の回数頻度、曜日別、時間帯別の情報を基にして当該友人等の訪問予定を予測することを特徴とする請求項１〜５のいずれか１項に記載の食料品管理システム。
【請求項７】
消費者が購入した保存食料品の消費期限を基に、個人の嗜好に合わせた献立を表示する食料品管理携帯端末であって、
前記携帯端末の記録手段には少なくとも、
前記携帯端末に搭載されたコンピュータに前記食料品管理を実行させるための制御プログラムと、保存食料品ファイル、献立ファイル及び個人嗜好分類ファイルが格納され、
前記消費者の希望する時間に、保存食料品の内の消費期限日の近い食料品の消費及び訪問者及び家族の嗜好を考慮した献立を前記携帯端末に表示することを特徴とする食料品管理携帯端末。
【請求項８】
前記献立の表示には、献立として複数の候補を提示すると共に、提示した献立候補の調理手順及び調理時間の目安と、献立毎の更に必要な食料品のリストを前記携帯端末に表示することを特徴とする請求項７に記載の食料品管理携帯端末。
【請求項９】
前記訪問者の嗜好の判断には、当該携帯端末で受信した友人等からの通話履歴若しくはメール履歴の内の回数頻度、曜日別、時間帯別の情報を基にして当該友人等の訪問予定を予測することを特徴とする請求項７又は８に記載の食料品管理携帯端末。
【発明の詳細な説明】
【技術分野】
【０００１】
本発明は、消費者が購入した野菜を冷蔵庫内においても腐らせることなく、携帯端末で在庫管理を実行すると共に、携帯端末を保持する個人及び関係者の行動や好みに合わせた献立を実現するに際しての買い足す品物を携帯端末の表示装置に表示することが可能な食料品管理システム及び食料品管理携帯端末を提供する。
【背景技術】
【０００２】
従来の食料品在庫管理装置として、特に在庫の食料品から自動的に献立をたてたり、献立から自動的に在庫にない食料品を抽出して買い物リストを作成したり、食料品の品目、残量、賞味期限、保存場所などを管理する食料品在庫管理装置に関するものとして、以下のものが知られている。（特許文献１参照）
「ペンタッチ入力用ペン等の入力装置と、プログラム制御により動作するデータ処理部と、食料品の在庫状況を記憶する記憶装置と、表示装置とを備え、入力装置から入力する食料品の情報は、食料品の品目、数量、賞味期限、保存場所とし、食料品の品目は卵、レタス、牛ロース、餃子などの冷蔵食品とし、上位の分類として肉、野菜、加工食品、デザートなどを設けて分類を入力できるようにし、入力された情報は在庫管理処理を通り食料品記憶部に記憶し、食料品の品目、残量、賞味期限、保存場所を記憶している食料品記憶部を備え、献立と献立に必要な材料を記憶している献立記憶部を備え、献立記憶部は献立と献立に必要な材料を最初から記憶しているが、後から追加することも可能であり、献立処理は食料品記憶部と献立記憶部のデータをもとに在庫食料品から献立を決めたり、献立から在庫にない食料を抽出し、表示装置に出力し、在庫管理処理は食料品記憶部のデータを賞味期限別、保存場所別、品目別、分類別に並べ替え、表示装置に出力し、在庫管理処理は賞味期限が近いものを監視して表示装置に表示することにより注意を促し、表示方法として点滅表示、反転表示または注意を促すためのカラー色で表示することにより注意を促し、冷蔵庫の扉に掛けておく構造にし、冷蔵庫の扉に掛けておく構造が磁気によること、買い物へ行くときに持っていき、食料品の在庫状況を見ながら買い物ができる携帯型の構造し、献立から自動的に不足する食料品を抽出し、食料品から献立を自動的にたてるように構成されている。」
【０００３】
そして、上記刊行物に記載のものでは、食料品在庫の管理を主とするものであって、献立は消費者に委ねられていた。
また、消費者一人が考える献立には、消費者個人の好みや調理経験の偏りが出てしまい、食料品在庫管理装置から提供される料理に飽きてしまい、いずれ、当該食料品在庫管理装置の使用をしなくなることも考えられる。
また、上記食料品在庫管理装置のサイズも、Ｂ５と大きく、日常の買い物時に携帯するには不便である。
また、在庫処理に関しては、表示部に点滅させるだけでは弱く、常に表示部に注目していないと見過ごしてしまう可能性が少なくない。
【０００４】
また、「ホームネットワーク１を構成するネットワーク家電において、自身の状態が監視され、その状態に基づいて、メッセージが作成される。そして、そのメッセージを有する電子メールが作成され、あるいは、そのメッセージに対応する合成音が生成され、ネットワーク家電の所有者であるユーザに送信される。」ものが知られている。（特許文献２参照）
【０００５】
【特許文献１】特開２０００−３５７１４６号公報
【特許文献２】特開２０００−１６３４７８号公報
【発明の開示】
【発明が解決しようとする課題】
【０００６】
従来の食料品在庫管理装置では、在庫の食料品から自動的に献立をたてたり、献立から自動的に在庫にない食料品を抽出して買い物リストを作成したり、食料品の品目、残量、賞味期限、保存場所などを管理することは可能であったが、消費者（端末保持者）が帰宅途上等において食料品を購入する際に、自宅在庫の食料品の効率的な消費及び、来客や家族の好みに応じた料理の献立をたてるには十分でなかった。
【０００７】
本発明の課題（目的）は、消費者が購入した野菜を冷蔵庫内において腐らせることなく、携帯端末で在庫管理を実行すると共に、携帯端末を保持する個人及び関係者の行動や好みに合わせた献立を実現するに際しての買い足す品物を携帯端末の表示装置に表示することが可能な食料品管理システム及び食料品管理携帯端末を提供する。
【課題を解決するための手段】
【０００８】
前記課題を解決するために、予め蓄積された、保存食料品ファイル、献立ファイル及び個人嗜好分類ファイルの情報に基づいて、消費者の保有する携帯端末に、その日の献立を表示する食料品管理システムであって、前記消費者の希望する時間に、保存食料品の内の消費期限日の近い食料品の消費及び訪問者及び家族の嗜好を考慮した献立を前記携帯端末に表示することを特徴とする。（請求項１）
【０００９】
また、通信回線を介して接続された家庭内サーバ及び少なくとも１台の消費者の保有する携帯端末とで構成される食料品管理システムであって、前記家庭内サーバの記録手段には、前記家庭内サーバに搭載されたコンピュータに前記食料品管理システムを実行させるための制御プログラムと、保存食料品ファイル、献立ファイル及び個人嗜好分類ファイルが格納され、前記家庭内サーバから、前記消費者の希望する時間に、保存食料品の内の消費期限日の近い食料品の消費及び訪問者及び家族の嗜好を考慮した献立を前記携帯端末に通知して表示することを特徴とする。（請求項２）
【００１０】
また、消費者の保有する携帯端末で実行される食料品管理システムであって、前記携帯端末の記録手段には、前記携帯端末に搭載されたコンピュータに前記食料品管理システムを実行させるための制御プログラムと、保存食料品ファイル、献立ファイル及び個人嗜好分類ファイルが格納され、前記消費者の希望する時間に、保存食料品の内の消費期限日の近い食料品の消費及び訪問者及び家族の嗜好を考慮した献立を前記携帯端末に表示することを特徴とする。（請求項３）
【００１１】
また、前記献立の通知には、当該献立を実行するに際しての、更に必要な食料品のリストを前記携帯端末に表示することを特徴とする。（請求項４）
また、前記献立の通知には、献立として複数の候補を提示すると共に、提示した献立候補の調理手順及び調理時間の目安と、献立毎の更に必要な食料品のリストを前記携帯端末に表示することを特徴とする。（請求項５）
また、前記訪問者の嗜好の判断には、友人等からの通話履歴若しくはメール履歴の内の回数頻度、曜日別、時間帯別の情報を基にして当該友人等の訪問予定を予測することを特徴とする。（請求項６）
【００１２】
また、消費者が購入した保存食料品の消費期限を基に、個人の嗜好に合わせた献立を表示する食料品管理携帯端末であって、前記携帯端末の記録手段には少なくとも、前記携帯端末に搭載されたコンピュータに前記食料品管理を実行させるための制御プログラムと、保存食料品ファイル、献立ファイル及び個人嗜好分類ファイルが格納され、前記消費者の希望する時間に、保存食料品の内の消費期限日の近い食料品の消費及び訪問者及び家族の嗜好を考慮した献立を前記携帯端末に表示することを特徴とする。（請求項７）
【００１３】
また、前記献立の表示には、献立として複数の候補を提示すると共に、提示した献立候補の調理手順及び調理時間の目安と、献立毎の更に必要な食料品のリストを前記携帯端末に表示することを特徴とする。（請求項８）
また、前記訪問者の嗜好の判断には、当該携帯端末で受信した友人等からの通話履歴若しくはメール履歴の内の回数頻度、曜日別、時間帯別の情報を基にして当該友人等の訪問予定を予測することを特徴とする。（請求項９）
【発明の効果】
【００１４】
請求項１〜９に記載の食料品管理システム及び食料品管理携帯端末によれば、消費者の保有する携帯端末で冷蔵庫等の在庫管理ができ、冷蔵庫内で購入した食料品を腐らせるといった無駄を防止することができる。
また、冷蔵庫等における在庫状況や賞味（消費）期限情報を消費者はいつでも、どこでも簡単に確認できるので、効率よく食料品の購入ができる。
在庫に賞味期限間近の野菜等がある場合に、消費者の携帯端末にその旨の情報をメール等で通知して表示されると、共に、その野菜を使用した献立も一緒にメール等で通知して表示させることができる。
記録手段に搭載される献立リストが、豊富であるので、毎日の献立を特に考える必要がないと共に、毎回同じ献立になることがなく、栄養の偏りも防ぐことが可能になる。
家族や友人等の誕生日等の記念日を予め登録しておくことによって、記念日近辺になった際に、当該家族や友人の好みにあった献立をメール等で通知して表示できる。
来客がある場合に、その来客の好みを予め登録しておくことによって、来客の好みにあった献立をメール等で通知して表示できる。
また、１週間前からの友人毎の、通信履歴、メール履歴等から予想できるので、その来客の好みを予め登録しておくことによって、来客の好みにあった献立をメール等で通知して表示できる。
【発明を実施するための最良の形態】
【００１５】
次に本発明の食料品管理システムの全体構成について、図１を用いて説明する。
図１において、１は、家庭内サーバであって、具体的には家庭の冷蔵庫に搭載されたＣＰＵ若しくは、冷蔵庫に保管されている野菜等の物品のデータを入力されたパーソナルコンピュータで構成される。
２は、サービス提供業者サーバであって、この食料品管理システムを有料若しくは会員制で運営する場合に、必要となるもので、個人が家庭内サーバとのみ通信する場合には必ずしも必要としない。
３は、通信回線（インターネットを含む）であって、後述の本発明の食料品管理システムを使用する４，５の個人保有携帯端末(1)〜(n)と前記家庭内サーバ及びサービス提供業者サーバと接続する。
【００１６】
先ず、本願発明を実現するための前提として、以下のリストを作成する必要がある。
・保存食料品リスト
端末を保有する消費者が購入した野菜や肉類等の、冷蔵庫内に収納若しくは家庭内に保存されている各食料品の種類毎の消費期限日，残量を電子的に読出し可能に作成したリスト。
なお、この食料品リストは、各食料品毎に付与されている電子タグ等に記録されているデータを冷蔵庫等に設けられた読取り手段で読み取って自動的に作成することも可能である。
・献立リスト
端末を保有する家庭での献立と、その献立に必要な食料品の種類毎の量を電子的に読出し可能に作成したリスト。
・個人別嗜好分類リスト
端末を保有する消費者の家族・友人等別の嗜好に応じた献立例を蓄積したリスト。
【００１７】
上記個人別嗜好分類リストの作成には、図２に示す如き、家族・友人別の、「記念日」「好物」「通話記録」「メール履歴」「通話・メール曜日」「通話・メール時間帯」「季節（ユーザによる選択、若しくは端末に搭載の温度・湿度測定手段等から判定可）」「地域性（ユーザによる選択、若しくは、端末搭載のGPSでの判定可）」「宗教的食事制限」「出身国、出身地」「病歴，食事制限，ダイエット」「飲酒の有無」「アレルギーの有無と種類（そば、卵等）」からなる献立決定要因と組み合わせて検索が可能に構成されているのが望ましい。
また、図３に示す如き、端末を保有する消費者の家族・友人等のデータベースを作成し、このデータベースに各人の電話番号，名前，記念日，好物，通話記録（日時別、曜日別、時間帯別），メール履歴（日時別、曜日別、時間帯別），来客予定の約束の有無等を更新可能に作成しておく。
【００１８】
上記食料品リスト、献立リスト、個人別嗜好分類リストは、図１の家庭内サーバ１の記録手段にファイルとして格納されるが、家庭内サーバ１から個人保有携帯端末(1)４〜(n)５に逐次データを転送して携帯端末の記録手段に格納しても良い。
【００１９】
次に、図４を用いて、本発明の食料品管理システムのハードウエア構成について説明する。
図４(a)は、本発明の食料品管理システムの家庭内サーバを用いる場合のハードウエア構成である。
図４(a)において、１は図１における家庭内サーバであり、送受信部1-1，CPU1-2，記録手段1-0，を含み、該記録手段には、制御プログラム1-3，保存食料品ファイル1-4，献立ファイル1-5，個人嗜好分類ファイル1-6が格納されれいる。
また、４は図１の消費者携帯端末（個人保有携帯端末）４（５）であり、送受信部4-1，CPU4-2，表示部4-3，制御プログラム4-4が含まれる。
【００２０】
図４(b)は、家庭内サーバを用いずに、消費者携帯端末単体で本発明の食料品管理システムを実行する場合のハードウエア構成である。
この場合には、図４(a)の家庭内サーバの記録手段1-0に格納されているファイルを全て消費者携帯端末の記録手段に持たせることが必要となる。
【００２１】
また、本発明のサービスシステムを有料若しくは会員制で運営する場合には、上記家庭内サーバの記録手段に格納されているファイルを、図１のサービス提供業者サーバに個人別に格納する。
なお、図３の、携帯端末を保有する消費者の家族・友人等のデータベースは、個人情報であるので、携帯端末に暗号化等の処理を施して格納しておくのが望ましい。
【００２２】
次に、本発明の食料品管理システムの処理の手順を図５を使用して説明する。
・リストを作成する。（ステップS1）
作成するリスト（ファイル）としては、上述の「保存食料品リスト（ファイル）」、「献立リスト（ファイル）」、「個人嗜好分類リスト（ファイル）」等がある。
・システムを起動する。（ステップS2）
端末を保有する消費者が希望する予め設定された時間（例えば、帰宅前の所定の時刻）に、本発明の食料品管理システムが起動される。
なお、消費者の携帯端末からの呼出しによっては本発明の食料品管理システムが起動するようにしても良い。
【００２３】
・ステップS2で食料品管理システムが起動すると、冷蔵庫内（家庭内に保存されるものも含む）に保存されている食料品のリストを保存期間の短いものから提示すると共に、その保存食料品を使用した献立候補を消費者の端末の表示部に表示する。（ステップS3）
その献立候補の作成には、上述の「献立リスト」を利用するが、献立に必要なものが全て保存食料品にない場合でも、消費期限日の短いもの又は利用可能な食料品を多く使用する献立を候補とする。
・消費者は携帯端末から家族・知人の記念日の検索をする。（ステップS4)
・消費者は携帯端末から訪問予定者の記念日の検索をする。（ステップS5)
・消費者は、ステップS4,S5での検索結果に基づいて、献立の決定をする。（ステップS6)
・ステップS6の献立の決定に基づいて、決定された献立に必要な食料品から、保存されている食料品を除いた分の、購入食料品リストを携帯端末の表示部に表示する。（ステップS7)
【００２４】
なお、上記ステップS1〜S7の手順は、家庭内サーバでの処理を前提として記載されているが、本発明の食料品管理システムに関するプログラムを携帯端末の記録手段に格納すると共に、上記食料品リスト、献立リスト、個人別嗜好分類リストを携帯端末の記録手段に格納しててある場合には、携帯端末単独で上記ステップS1〜S7の手順の処理を実行することもできる。
【００２５】
また、図１のサービス提供業者サーバ２を使用する場合には、献立な関する情報を個人のみが利用する場合に比較して、多数の消費者に利用可能に蓄積できるので、この食料品管理システムを有料若しくは会員制で運営することも可能である。
また、この食料品管理システムを有料若しくは会員制で運営する場合には、献立ファイルとして、世界各国の料理を幅広く蓄積することができるので、消費者の好みを入力しておくことによって、日替わり、週替わりに変化のある献立を消費者の特別な入力なしで提供できる。
【産業上の利用可能性】
【００２６】
請求項１〜６に記載の本発明によれば、消費者が購入した野菜を冷蔵庫内において腐らせることなく、携帯端末で在庫管理を実行すると共に、携帯端末を保持する個人及び関係者の行動や好みに合わせた献立を実現するに際しての買い足す品物を携帯端末の表示装置に表示することが可能であるので、産業上の利用可能性は極めて大きい。
【図面の簡単な説明】
【００２７】
【図１】図１は、本発明の食料品管理システムの全体構成を示す図である。
【図２】本発明の献立決定要因の１例を示す図である。
【図３】本発明の端末を保有する消費者の家族・友人等のデータベースの内容の１例を示す図である。
【図４】本発明の食料品管理システムのハードウエア構成を示す図であり、(a)は本発明の食料品管理システムの家庭内サーバを用いる場合のハードウエア構成、  (b)は家庭内サーバを用いずに、消費者携帯端末単体で本発明の食料品管理システムを実行する場合のハードウエア構成である。
【図５】本発明の食料品管理システムの処理の手順の１例を示すフローチャートである。
【符号の説明】
【００２８】
１：家庭内サーバ
２：サービス提供業者サーバ
３：通信回線（インターネットを含む）
４，５：個人保有携帯端末（消費者携帯端末）(1)〜(n)
【図１】
2008084102.tif 000003
【図２】
2008084102.tif 000004
【図３】
2008084102.tif 000005
【図４】
2008084102.tif 000006
【図５】
2008084102.tif 000007